(57)【特許請求の範囲】
【請求項１】
化粧製品を塗布するためのブラシであって、
柄部と、
前記柄部に対して下向きの角度で延設される首部と、
前記首部に対して上向きの角度で延設されており、前記柄部に対して垂直方向にオフセットを有する頭部と、
前記頭部から垂直方向に延設される、前記化粧製品を塗布するためのファイバ部と
を備え、
前記ファイバ部は、前記ファイバ部の上端部においてパッドを介して前記頭部に一体に固定されている、ブラシ。
【請求項２】
前記頭部は、下端部内に延設される凹状部を有しており、前記パッドは前記凹状部内に固定されている、請求項１に記載のブラシ。
【請求項３】
前記柄部は前記頭部と平行である、請求項１に記載のブラシ。
【請求項４】
前記頭部は前記柄部に対して上向きの角度で配置されている、請求項１に記載のブラシ。
【請求項５】
前記首部は前記柄部の外側端部から延設されており、前記頭部は、前記柄部に対して反対側の、前記首部の外側端部から延設されている、請求項１に記載のブラシ。
【請求項６】
前記首部は、前記柄部に連結されている内側端部から前記頭部に連結されている外側端部へ外側に向かって先細りになっている、請求項１に記載のブラシ。
【請求項７】
前記頭部の形状は、前記柄部の形状と類似する、請求項１に記載のブラシ。
【請求項８】
前記柄部は略平らな構造からなる、請求項１に記載のブラシ。
【請求項９】
前記頭部は略平らな構造からなる、請求項１に記載のブラシ。
【請求項１０】
前記柄部は卵形状からなる、請求項１に記載のブラシ。
【請求項１１】
前記柄部は円筒形状からなる、請求項１に記載のブラシ。
【請求項１２】
前記柄部内に配置される、掴むための少なくとも１つの被嵌入部を有する、請求項１に記載のブラシ。
【請求項１３】
前記首部および前記柄部は３０度の角度をなしている、請求項１に記載のブラシ。
【請求項１４】
化粧製品を塗布するためのブラシであって、
柄部と、首部と、頭部と、を有する一体型本体と、
前記柄部内に配置される、掴むための少なくとも１つの被嵌入部と、
を備えるブラシであり、
前記首部は前記柄部に対して下向きの角度で延設されており、
前記頭部は前記首部に対して上向きの角度で延設されており、
前記頭部は前記柄部に対して垂直方向にオフセットを有しており、
前記首部は前記柄部の外側端部から延設されており、
前記頭部は、前記柄部に対して反対側の、前記首部の外側端部から延設されており、
前記首部は、前記柄部に連結されている内側端部から前記頭部に連結されている外側端部へ外側に向かって先細りになっており、
ブラシはさらに、
前記頭部から垂直方向に延設される、前記化粧製品を塗布するためのファイバ部と、
を備え、
前記ファイバ部は、前記ファイバ部の上端部においてパッドを介して前記頭部に一体に固定されている、
ブラシ。
【請求項１５】
前記柄部は前記頭部と平行である、請求項１４に記載のブラシ。
【請求項１６】
前記頭部は前記柄部に対して上向きの角度で配置されている、請求項１４に記載のブラシ。
【請求項１７】
前記頭部の形状は、前記柄部の形状と類似する、請求項１４に記載のブラシ。
【請求項１８】
請求項１のブラシを使用して化粧品を自分で塗布するための方法であって、
前記ファイバ部の外側端部上に顔用化粧製品を配置するステップと、
前記顔用化粧製品を塗布するユーザの顔の部分と平行に前記柄部を向けるステップと、
前記顔の前記部分と垂直な方向に前記ファイバ部を向けるステップと、
前記顔の前記部分に前記化粧製品を前記ファイバ部で塗布するステップと、
前記首部の下向きの角度によって、前記塗布するステップの間、前記ユーザの前記顔の前記部分からの前記柄部の垂直方向のオフセットの離間距離を保つステップと、
前記塗布するステップの間、前記柄部の前記顔の前記部分に対して前記柄部を平行な向きに保つステップと、
を含む方法。
【発明の詳細な説明】
【技術分野】
【０００１】
本発明は、概して、化粧用ブラシに関し、より具体的には、効率的に化粧品・メーキャップを自分で塗布するための人間工学に基づいた化粧用ブラシに関する。
【背景技術】
【０００２】
本明細書の全体における関連技術の説明は、そのような関連技術がその分野において広く知られているあるいはありふれた一般的な知識の一部を構成していることを自認するものではまったくない。
【０００３】
メーキャップ・ブラシは、複数の異なるスタイル・構成で構成される。典型的なメーキャップ・ブラシは、ある人が製品を他の人に塗布するよう設計されている。ブラシの脈々と続いている原点は、芸術家が製品をキャンバスや表面にフレスコ画を描くための壁などの二次的な面あるいは媒体に塗布するのに役立つよう作られた芸術家のブラシに由来する。
【発明の概要】
【発明が解決しようとする課題】
【０００４】
メーキャップ・ブラシの従来の設計では、ブラシを自分の顔に対して変わった角度で保持する必要があるために、一人のユーザがブラシを自分で塗布する用途に用いることが難しい。従来のブラシに関する他の問題は、ブラシを変わった角度で保持しなければならないので、ユーザは、ブレンド効果を与えるために一般に必要以上のストロークを行い、且つ連続的に製品を動かさなければならず、その結果、メーキャップを自分自身に塗布する時間と作業が大きく増えることである。関連技術に固有の問題のために、効率的に化粧品・メーキャップを自分で塗布するための、新規で改良された、人間工学に基づいた化粧用ブラシが必要とされている。
【課題を解決するための手段】
【０００５】
効率的に化粧品・メーキャップを自分で塗布するシステム。本発明は、概して、柄部と、内側に向かって先細りになっている、柄部に対して下向きの角度で延設される首部と、首部に対して上向きの角度で延設されており、柄部に対して高さ方向にオフセットを有する頭部と、を備えるブラシに関する。化粧製品を塗布するためのファイバ部が、頭部から垂直方向に延設されている。
【０００６】
ここに、本発明の特徴のうちのいくつかを、いくぶん大まかではあるが、略述し、これにより、本発明の特徴の詳細な説明がより理解され、当該技術への本貢献がより正当に評価されよう。発明のさらなる特徴を以下に説明するとともに、添付の特許請求の範囲の主題を形成している。この点から、本発明の少なくとも１つの実施形態について詳細に説明するにあたって、本発明は、以下の説明に記述するあるいは図面に示す構成要素の構造あるいは配置の細部に限定されないことは理解されよう。本発明は、他の実施形態とすることができ、種々の方法で実現・実行できる。また、ここで用いる表現や専門用語は説明のためであって、限定と見なされるべきではないことは理解されよう。
【図面の簡単な説明】
【０００７】
本発明の種々の他の目的、特徴および関連する利点は、添付図面と合わせて考慮したとき、より理解されて、十分に正当に評価されよう。図面において、同じような参照符号は、いくつかの図にわたって同じあるいは同様な部材を示している。
【図１】人の顔に化粧製品を自分で塗布するために用いられる本発明の第１実施形態の側面図。
【図２】本発明の第１実施形態の上部斜視図
【図３】ブラシの毛が本体の頭部から延びている第１実施形態の側面図
【図４】第１実施形態の側面の断面図
【図５】本発明の第２実施形態の平面図
【図６】本発明の第３実施形態の平面図
【図７】本発明の第４実施形態の平面図
【図８】本発明の第５実施形態の平面図
【図９】本発明の第６実施形態の側面図
【図１０】本発明の第７実施形態の側面図
【発明を実施するための形態】
【０００８】
Ａ．概要
図１〜図１０は、柄部３０と、内側に向かって先細りになっている、柄部３０に対して下向きの角度で延設される首部４０と、首部４０に対して上向きの角度で延設されており、柄部３０に対して高さ方向にオフセットを有する頭部５０と、を備える人間工学に基づいた化粧用のブラシ１０を示している。化粧製品を塗布するためのファイバ部６０が、頭部５０から垂直方向に延設されている。ここで、いくつかの図にわたって同様な参照符号が付されているものは、同様な要素を示している。
【０００９】
ブラシ１０は、種々のメーキャップあるいは化粧製品を自分で塗布するために設計されている。例えば、ブラシ１０は、コーナー・アイシャドー、アイコントアー（ｅｙｅ  ｃｏｎｔｏｕｒ）、アイライナー、アイシャドー、リップ製品、パウダー、あるいは頬紅（ｂｌｕｓｈ）に用いることができる。ブラシ１０は、そのブラシ１０の種類に合わせて、いろいろなサイズの柄部３０、頭部５０、ファイバ部６０、いろいろな長さの首部４０等とともに、複数の異なるサイズで製造されてもよい。ここでの語「化粧品」が、メーキャップ、ローション、あるいはブラシ１０で自分自身に塗布するあらゆる製品を言及していても構わない。
Ｂ．本体
ブラシ１０の本体２０は、概ね、人間工学に基づいた構成を提供するよう、細長くて流線型である設計からなる。本体２０は、限定するものではないが、軽量で、耐久性のあるプラスチック、樹脂、ゴム、木材、金属あるいは種々の材料で形成できる。本体２０は、特定用途やユーザの好みに応じて、長さ、質感および引張強さをさらに変更できる。本体２０の外面も、概して、ユーザが快適に握れるよう、スムーズな構成からなる。本体２０には、さらに、微生物の増殖を抑止するために抗菌処理をすることができ、あるいは、紫外線をブロックするコーティングをすることができ、あるいは、他のフィルタリング処理を用いることもできる。
【００１０】
本体２０は、柄部３０と、柄部３０から延設される首部４０と、首部４０から延設される頭部５０と、を有する。柄部３０、首部４０および頭部５０は、好ましくは一体的に形成される。しかしながら、本体２０を複数の別々の構造で構成されていても構わない。
【００１１】
柄部３０は、種々の形状およびサイズで構成できる。柄部３０は、本発明の一の実施形態において、少し平らな卵形状で構成できる。他の実施形態において、柄部３０は、円筒状構造で構成できる。柄部３０は、ユーザに好まれる種々の色やスタイルで構成でき、柄部３０の美的クオリティを高めることができる。
【００１２】
そして、柄部３０は、また、柄部３０の上面内に延設される上側凹部の内部と柄部３０の底面内に延設される下側凹部の内部に配置される第１被嵌入部３１と第２被嵌入部３２を有することができる。第１被嵌入部３１および第２被嵌入部３２は、好ましくは、ゴムで被覆されたソフトタッチ仕上げあるいはフォーム、あるいは柄部３０と同じ材料、あるいは柄部３０とは異なる材料からなり、これら材料は、すべて柄部３０を持つときに握りやすいグリップ力のある表面をユーザに提供する。第１被嵌入部３１および第２被嵌入部３２が同様な構造で構成されることが好ましい。第１被嵌入部３１および第２被嵌入部３２を、柄部３０内に、取り外し可能に、あるいは固定的に取り付けられている。第１被嵌入部３１および第２被嵌入部３２の色は、美的目的のために、柄部３０あるいは本体２０の残りの部分とコントラストをなすこともできる。
【００１３】
首部４０は、柄部３０の前方端部から延設される。首部４０は、細長い構造で構成され、柄部３０から下向きの角度で延設される。首部４０は、好ましくは、柄部３０と同様な方向に、少し下向きの角度で延設される。下向きの角度は、柄部３０と本体２０の頭部５０との間で垂直方向に間隔をあけるために重要である。これにより、ユーザは、より容易に自分自身に化粧品を自分で塗布することができ、手や柄部３０が顔に当たることなく、柄部３０をユーザの顔と平行に持つことができる。ユーザは、細長い角度が付けられた柄部３０を介してユーザの体２０からある一定の距離で柄部３０を快適に持ちながら、ユーザの体２０の顔のすぐそばにかつ平行に頭部５０を保つことができる。下向きの角度は好ましくは約３０度である。しかしながら、他の角度でも構わない。
【００１４】
首部４０は、また、好ましくは、柄部３０より十分により小さい直径あるいは断面周辺長からなる。首部４０は、さらに、概して、頭部５０に近づくにつれ狭まるよう、内側端部４２（柄部３０近傍）から外側端部４１（柄部３０と反対側）へと外側に向かって先細りになっている。首部４０の形状およびサイズは、ブラシ１０を用いる際に首部４０がユーザの顔あるいは顔の特徴部に引っ掛かる可能性を最小限にする輪郭を形成している。首部４０は、また、ブラシ１０を用いる際にファイバ６０を傾斜および／または回転させることを容易にする。
【００１５】
本体２０の頭部５０は、首部４０の外側端部４１から延設されている。必要に応じて、頭部５０は、取り外し可能に、あるいは、固定的に首部４０に取り付けられるとよい。最初に首部４０に頭部５０を取り付ける場合、開口部を頭部５０の端部内に延設することができ、首部４０の外側端部４１によって受け支えられ、そして、この２つが種々の留め具あるいは接着剤で一体に接合される。
【００１６】
頭部５０は、概して、スムーズで、曲面状であり、そしてとがった縁端部がなく、角が丸められており、万一頭部５０が目あるいは顔の傷つきやすい部分と当たったとしても傷つくおそれを最小限にしている。頭部５０は、好ましくは、本体２０の柄部３０に似て、少し平らな卵形状あるいは円形状構造で構成され、これにより、頭部５０および柄部３０が対応し合っているように見える。もちろん、他の形状でも構わない。
【００１７】
頭部５０も、概して、ファイバ６０でユーザの顔に化粧製品を塗布する際に柄部３０に沿ってユーザの顔と平行に移動するよう、柄部３０と平行に配置される。したがって、頭部５０は、概して、柄部３０と首部４０との間の下向きの角度と同様の、首部４０からの上向きの角度で延設される。しかしながら、少なくとも１つの実施形態において、リップ塗布ブラシ実施形態では、リップ製品あるいはリップ物質塗布プロセスをより効率的に行えるよう、頭部５０は柄部３０に対して上向きの角度に向けられる。柄部３０に対する頭部５０の向きにより、化粧品、メーキャップあるいは他の製品を自分で塗布することが容易になる。
【００１８】
頭部５０は、さらに、好ましくは、柄部３０より十分により小さい直径あるいは周辺長からなる。頭部５０の下端部内には、好ましくはブラシ１０のファイバ６０を受け支える凹状部５３が延設される。凹状部５３は、ファイバ部６０の外周部と一致する卵形状で構成される。頭部５０の形状および外周サイズは、さらに、好ましくは、下に取り付けられるファイバ部６０の外周部と類似している。
Ｃ．ファイバ
ブラシ１０は、種々の化粧塗布作業を行うための多くのファイバ６０すなわち毛を有している。ファイバ６０は、本体２０の頭部５０の下側へ、したがって頭部５０の面に垂直に取り付けられている。ファイバ６０が頭部５０、柄部３０およびユーザの顔に対して垂直に配置されるので、ブラシ１０を自分で塗布するツールとしてより容易に用いることができる。
【００１９】
ファイバ６０は、ブラシ１０が用いられる特定の化粧塗布によって、種々の構造あるいは材料で構成できる。ファイバ６０を動物の毛とすることもできるが、一般に、製造されたすなわち人工ファイバ６０である。ファイバ６０の長さ、張力特性、フィラメント面、色、材料および形状は、ブラシ１０ごとに特有のものである。
【００２０】
ファイバ６０は、それぞれ、可撓性パッド６４に取り付けられ、本体２０の頭部５０に対して特定の形状及び角度にファイバ６０を保持するよう機能する平滑端部６４を有する。パッド６４は、ファイバ６０の平滑端部６４へ接着され、そして、頭部５０の凹状部５３内に固定される。パッド６４は、ファイバ６０の頭部５０への取り付けを助ける接着面を有することができ、あるいは種々の他の留め具を用いることもできる。
Ｄ．好ましい実施形態の操作
使用において、ブラシ１０は、化粧品、メーキャップあるいは他の製品をユーザ自身が自分に塗布するよう用いられる。ブラシ１０は、化粧製品をユーザの種々の部分（顔あるいは他の体の部分）に自分で塗布するよう用いられてもよい。ユーザは、四指と親指との間で柄部３０を持つ。そして、ユーザは、圧縮パウダーアイシャドウあるいは他の似たような化粧品などの化粧製品上をファイバ６０でなで、化粧品の一部を付ける。そして、ユーザは、化粧製品を塗布する顔の一部（あるいは他の体の部分）の面と平行に、ブラシ１０の柄部３０を配置する。柄部３０の長さは従来のブラシより短く、これにより、柄部３０を手でより容易に持つことができ、体２０により近づけることができても構わない。
【００２１】
ファイバ６０は、肌に垂直に向けられ、ユーザが柄部３０および頭部５０を顔の面と平行に引っ張ると、ファイバ６０の先端６２が肌の面をなぞって、ファイバ６０の先端６２上で一時的に保持された化粧製品を残す。ユーザは、ブラシ１０を一方向に引っ張ることができ、あるいは往復運動させることができ、これにより、化粧製品を塗布する。
【００２２】
ユーザは、首部４０の下向きの角度によって、化粧製品を塗布している間、顔の一部分からの柄部３０の垂直方向のオフセットの離間距離を保つ。言いかえれば、柄部３０は、柄部３０およびユーザの顔が平行にかつ距離的に離れるよう、ユーザの顔から垂直方向に距離をあけられる。
【００２３】
ユーザは、柄部３０の角度に傾斜を少しつけて頭部５０に圧力を印加することによって、顔に塗布される化粧製品の量を調整することができる。細長い首部４０は、傾斜の十分なてこの作用を与え、かつ、ユーザの顔のすぐそばの頭部５０と、ユーザが持つべき柄部３０の間の十分な距離を与える。これにより、さらに、柄部３０を持って顔と平行に頭部５０を配置する際に、ユーザの手が顔に当たってしまうことを防止することができる。
【００２４】
定義しない限り、ここに用いられるすべての技術的・科学用語は、本発明が属する当業者によって一般に理解されるものと同じ意味を有する。本発明の実用あるいは試験において、ここに説明されたものと同様なあるいは均等な方法および材料を用いることができるが、適当な方法および材料を上述した。ここに言及したすべての公報、特許出願、特許、および他の文献は、適用される法律および規則によって認められる程度までそれらの全体を参照によって援用される。コンフリクトの場合には、定義を含む本明細書によって調整されよう。本発明は、その精神あるいは本質的な特性から逸脱することなく他の特定形態で具体化することができ、したがって、本発明はあらゆる面で例示的であって限定的ではない。説明における見出しも便宜的なものであって、法的なあるいは限定する効果を含んでいない。
【図１】
0005537559.tif 000002
【図２】
0005537559.tif 000003
【図３】
0005537559.tif 000004
【図４】
0005537559.tif 000005
【図５】
0005537559.tif 000006
【図６】
0005537559.tif 000007
【図７】
0005537559.tif 000008
【図８】
0005537559.tif 000009
【図９】
0005537559.tif 000010
【図１０】
0005537559.tif 000011